(57)【要約】  ばら製品、特にはタバコ、のパッケージ（１；１０１）は、開口（１１；１１１）が設けられた外側包装部（２；１０２）と、前記外側包装部（２；１０２）の内側に位置決めされ、ばら製品を収容すると共に前記開口（１１；１１１）側の長手方向端に前記ばら製品の抽出用開口（１８；１１８）を有する、内側包装部（３；１０３）と、前記抽出用開口（１８；１１８）を閉鎖するための蓋部（２１；１２１）と、を備える。前記パッケージ（１；１０１）は、更に、前記内側包装部（３；１０３）を取り囲み、前記蓋部（２１；１２１）に接続され、前記外側包装部（２；１０２）に形成された作動領域を介して前記蓋部（２１；１２１）を被覆位置（Ｃ）と非被覆位置（Ｄ）との間で移動するように作動可能である、という摺動要素（１９；１１９）を備える。前記被覆位置（Ｃ）では、前記蓋部（２１；１２１）が前記抽出用開口（１８；１１８）を被覆して、前記ばら製品の脱出を防止し、前記非被覆位置（Ｄ）では、前記蓋部（２１；１２１）が前記抽出用開口（１８；１１８）を被覆しないで、前記ばら製品が抽出されることを可能にする。
2016507434.tif 000002
【特許請求の範囲】
【請求項１】
開口（１１；１１１）が設けられた外側包装部（２；１０２）と、
前記外側包装部（２；１０２）の内側に位置決めされ、ばら製品を収容すると共に前記開口（１１；１１１）側の長手方向端に前記ばら製品の抽出用開口（１８；１１８）を有する、内側包装部（３；１０３）と、
前記抽出用開口（１８；１１８）を閉鎖するための蓋部（２１；１２１）と、
を備え、
摺動要素（１９）が、前記内側包装部（３；１０３）を取り囲み、前記蓋部（２１；１２１）に接続され、前記外側包装部（２；１０２）に形成された作動領域を介して前記蓋部（２１；１２１）を被覆位置（Ｃ）と非被覆位置（Ｄ）との間で移動するように作動可能である、というように設けられており、
前記被覆位置（Ｃ）では、前記蓋部（２１；１２１）が前記抽出用開口（１８；１１８）を被覆して、前記ばら製品の脱出を防止し、
前記非被覆位置（Ｄ）では、前記蓋部（２１；１２１）が前記抽出用開口（１８；１１８）を被覆しないで、前記ばら製品が抽出されることを可能にする
ことを特徴とする、ばら製品、特にはタバコ、のパッケージ（１；１０１）。
【請求項２】
前記摺動要素（１９；１１９）は、ループを形成していて、前記パッケージ（１；１０１）が延在する長手方向軸線（Ａ）周りに移動可能である、というバンド（２０；１２０）からなり、前記軸線（Ａ）を横切る、特には垂直に横切る、軸線（Ｂ）に沿って前記蓋部（２１；１２１）を移動させるようになっている
ことを特徴とする請求項１に記載のパッケージ（１；１０１）。
【請求項３】
前記摺動要素（１９；１１９）及び前記内側包装部（３；１０３）は、それぞれ、それらの間で低い摩擦係数を生成するような材料からなっている
ことを特徴とする請求項１または２に記載のパッケージ（１；１０１）。
【請求項４】
前記外側包装部（２；１０２）は、上方壁（５；１０５）、底部壁（６；１０６）、及び、前記長手方向軸線（Ａ）に平行で大型前方壁（７；１０７）と大型後方壁（８；１０８）と２つの小型側方壁（９；１０９）とからなる４つの側方壁（７；１０７）、を有する箱型本体部（４；１０４）を有しており、
前記内側包装部（３；１０３）は、上方壁（１３；１１３）、底部壁（１４；１１４）、及び、前記長手方向軸線（Ａ）に平行で大型前方壁（１５；１１５）と大型後方壁（１６；１１６）と２つの小型側方壁（１７；１１７）とからなる４つの側方壁、を有する箱型本体部（１２；１１２）を有している
ことを特徴とする請求項２または３に記載のパッケージ（１；１０１）。
【請求項５】
前記外側包装部（２；１０２）の前記大型前方壁（７；１０７）及び前記大型後方壁（８；１０８）は、それぞれ、前記摺動要素（１９；１１９）の前記作動領域を形成するスロット（１０；１１０）が設けられている
ことを特徴とする請求項４に記載のパッケージ（１；１０１）。
【請求項６】
前記スロット（１０；１１０）は、互いに向き合っていて、前記長手方向軸線（Ａ）を横切るように延在している
ことを特徴とする請求項５に記載のパッケージ（１；１０１）。
【請求項７】
前記蓋部（２１；１２１）は、
前記摺動要素（１９；１１９）に接続されていて、前記外側包装部（２；１０２）の前記大型前方壁（７；１０７）と前記内側包装部（３；１０３）の前記大型前方壁（１５；１１５）との間に介在している、側方壁（２３；１２３）と、
前記側方壁（２３；１２３）に接続されていて、前記外側包装部（２；１０２）の前記上方壁（５；１０５）と前記内側包装部（３；１０３）の前記上方壁（１３；１１３）との間に介在している、上方壁（２２；１２２）と、
を有している
ことを特徴とする請求項４乃至６のいずれかに記載のパッケージ（１；１０１）。
【請求項８】
前記蓋部（２１；１２１）は、前記側方壁（２３；１２３）に対向する、別の側方壁（２３；１２３）を有しており、後者は、前記外側包装部（２；１０２）の前記大型後方壁（８；１０８）と前記内側包装部（３；１０３）の前記大型後方壁（１６；１１６）との間に介在していて、前記摺動要素（１９；１１９）から係合解除されている
ことを特徴とする請求項７に記載のパッケージ（１；１０１）。
【請求項９】
前記蓋部（２１；１２１）と前記摺動要素（１９；１１９）とは、単一体である
ことを特徴とする請求項１乃至６のいずれかに記載のパッケージ（１；１０１）。
【請求項１０】
前記開口（１１；１１１）と前記抽出用開口（１８；１１８）とは、それぞれ、前記外側包装部（２；１０２）の前記上方壁（５；１０５）と前記内側包装部（３；１０３）の前記上方壁（１３；１１３）とに配置されている
ことを特徴とする請求項４乃至９のいずれかに記載のパッケージ（１；１０１）。
【請求項１１】
前記開口（１１；１１１）は、前記外側包装部（２；１０２）の前記上方壁（５；１０５）と、前記大型前方壁（７；１０７）と、前記大型後方壁（８；１０８）と、に配置されており、
前記抽出用開口（１８；１１８）は、前記内側包装部（３；１０３）の前記上方壁（１３；１１３）と、前記大型前方壁（１５；１１５）と、前記大型後方壁（１６；１１６）と、に配置されている
ことを特徴とする請求項４乃至９のいずれかに記載のパッケージ（１；１０１）。
【請求項１２】
前記蓋部（２１；１２１）の案内支持手段（１２４）
を更に備えたことを特徴とする請求項１乃至１１のいずれかに記載のパッケージ（１；１０１）。
【請求項１３】
前記蓋部（２１；１２１）の前記案内支持手段は、前記内側包装部（３；１０３）の前記大型前方壁（１５；１１５）及び前記大型後方壁（１６；１１６）の上方縁（２４；１４４，１４５）を含んでいる
ことを特徴とする請求項１２に記載のパッケージ（１；１０１）。
【請求項１４】
前記内側包装部（３；１０３）は、下方開口を有しており、
前記外側包装部（２；１０２）は、前記下方開口と向き合っている底部壁（６；１０６）を有しており、
前記底部壁（６；１０６）は、前記下方開口を介しての前記内側包装部（３；１０３）へのアクセスを許容するべく開放可能／閉鎖可能である
ことを特徴とする請求項１乃至３のいずれかに記載のパッケージ（１；１０１）。
【請求項１５】
前記外側包装部（２；１０２）及び前記内側包装部（３；１０３）は、それぞれのブランク（２８，３１；１２８，１３１）を折り畳むことによって形成されている
ことを特徴とする請求項１乃至１４のいずれかに記載のパッケージ（１；１０１）。
【請求項１６】
開口（１１；１１１）が設けられた外側包装部（２；１０２）と、
前記外側包装部（２；１０２）の内側に位置決めされ、ばら製品を収容すると共に前記開口（１１；１１１）側の長手方向端に前記ばら製品の抽出用開口（１８；１１８）を有する、内側包装部（３；１０３）と、
前記抽出用開口（１８；１１８）を閉鎖するための蓋部（２１；１２１）と、
前記内側包装部（３；１０３）を取り囲み、前記蓋部（２１；１２１）に接続され、前記外側包装部（２；１０２）に形成された作動領域を介して前記蓋部（２１；１２１）を被覆位置（Ｃ）と非被覆位置（Ｄ）との間で移動するように作動可能である、というように設けられた摺動要素（１９）と、
を備え、
前記被覆位置（Ｃ）では、前記蓋部（２１；１２１）が前記抽出用開口（１８；１１８）を被覆して、前記ばら製品の脱出を防止し、
前記非被覆位置（Ｄ）では、前記蓋部（２１；１２１）が前記抽出用開口（１８；１１８）を被覆しないで、前記ばら製品が抽出されることを可能にする
という、ばら製品、特にはタバコ、のパッケージを製造する方法であって、
前記内側包装部（３；１０３）を形成するべくブランク（２８；１２８）を折り畳む工程と、
前記蓋部（２１；１２１）及び前記摺動要素（１９；１１９）を、形成された前記内側包装部（３；１０３）に関連付ける工程と、
前記外側包装部（２；１０２）を形成するべくブランク（３１；１３１）を折り畳む工程と、
を備えたことを特徴とする方法。
【請求項１７】
前記蓋部（２１；１２１）及び前記摺動要素（１９；１１９）を形成された前記内側包装部（３；１０３）に関連付ける工程は、
前記蓋部（２１；１２１）を、形成された前記内側包装部（３；１０３）の前記抽出用開口（１８；１１８）を有する前記長手方向端において当該内側包装部（３；１０３）上に位置決めする工程と、
前記内側包装部（３；１０３）周りに前記摺動要素（１９；１１９）を包装して、閉ループを形成する工程と、
前記摺動要素（１９；１１９）を前記蓋部（２１；１２１）に固定する工程と、
を順に有することを特徴とする請求項１６に記載の方法。
【請求項１８】
前記蓋部（２１；１２１）及び前記摺動要素（１９；１１９）を形成された前記内側包装部（３；１０３）に関連付ける工程は、
前記形成された内側包装部（３；１０３）周りに前記摺動要素を包装して、閉ループを形成する工程と、
前記蓋部（２１；１２１）を、前記摺動要素（１９；１１９）上、及び、形成された前記内側包装部（３；１０３）の前記抽出用開口（１８；１１８）を有する前記長手方向端において当該内側包装部（３；１０３）上に位置決めする工程と、
前記摺動要素（１９；１１９）を前記蓋部（２１；１２１）に固定する工程と、
を順に有することを特徴とする請求項１６に記載の方法。
【請求項１９】
前記外側包装部（２；１０２）を形成するべくブランク（３１；１３１）を折り畳む工程は、
前記外側包装部（２；１０２）のブランク（３１；１３１）を形成された前記内側包装部（３；１０３）の周りで完全に折り畳む工程
を有することを特徴とする請求項１６乃至１８のいずれかに記載の方法。
【請求項２０】
前記外側包装部（２；１０２）を形成するべくブランク（３１；１３１）を折り畳む工程は、
先行して部分的に折り畳まれた前記外側包装部（２；１０２）のブランク（３１；１３１）内に形成された前記内側包装部（３；１０３）を挿入する工程
を有することを特徴とする請求項１６乃至１８のいずれかに記載の方法。
【請求項２１】
前記形成された内側包装部（３；１０３）周りに前記摺動要素（１９；１１９）を包装して閉ループを形成する工程は、
前記摺動要素（１９；１１９）の端部を接続して閉ループを形成する工程
を有することを特徴とする請求項１７乃至２０のいずれかに記載の方法。
【発明の詳細な説明】
【技術分野】
【０００１】
本発明は、ばら製品、特には飴、チューイングガム等のような食品やタバコ、のパッケージに関する。
【０００２】
本発明は、更に、ばら製品用の当該パッケージを製造する方法に関する。
【０００３】
以下の記述において、簡潔さのために、巻きタバコのハードパックへの参照がなされる。しかし、それによって、本発明は一般的な有効性を失わない。
【発明の概要】
【０００４】
（背景技術）
公知の巻きタバコのハードパックは、例えば「ヒンジ蓋」として規定されたタイプのもので、実質的に直方体形状を有している。
【０００５】
このパックは、予め弱められ且つ予め切り目を入れられた平坦なボール紙ブランクから得られて、一端が開放している開放外側包装部と、当該外側包装部の端縁にヒンジ結合された蓋部と、からなっている。
【０００６】
当該パックは、外側包装部の開放端から突出し、前方壁と２つの側方壁とで外側包装部に固定され、外側包装部と蓋部との間の接続機能を有する、内部要素またはカラーを含んでいる。
【０００７】
このようなパックでは、その使用中において、蓋部を正確な閉鎖位置に維持する際、カラーの端縁で得られる対照要素の存在にも拘わらず、所定の困難さに遭遇し得る。
【０００８】
この欠点は、巻きタバコの、及び、一般的にこのようなパックによって収容可能な製品の、湿分や芳香の喪失要因である。
【０００９】
（発明の概要）
本発明の目的は、前述の欠点から開放された、ばら製品、特にはタバコ、のパッケージを提供することである。
【００１０】
本発明の別の目的は、実施されるのが容易で安価であるような、ばら製品のパッケージを製造する方法を提供することである。
【００１１】
本発明に従って、ばら製品のパッケージと、そのようなパッケージを製造する方法は、添付の特許請求の範囲に規定される通りに、提供される。
【図面の簡単な説明】
【００１２】
本発明は、非制限的な実施の形態として幾つかの実施の形態を図示している添付の図面を参照しながら、説明される。
【図１】本発明に従って製造された巻きタバコ用パックの好適な実施の形態の、閉鎖形態での前方斜視図である。
【図２】図１の巻きタバコ用ハードパックの、開放形態での前方斜視図である。
【図３】図１及び図２の巻きタバコ用ハードパックを構成する要素の、斜視図である。
【図４】図１及び図２の巻きタバコ用ハードパックの蓋部を製造するために用いられるブランクの平面図である。
【図５】図１及び図２の巻きタバコ用ハードパックを構成する要素の、斜視図である。
【図６】図１及び図２の巻きタバコ用ハードパックを構成する要素の、斜視図である。
【図７】図１及び図２の巻きタバコ用ハードパックの内側包装部を製造するために用いられるブランクの平面図である。
【図７ｂ】図１及び図２の巻きタバコ用ハードパックの内側包装部を製造するために用いられるブランクの別の実施の形態の平面図である。
【図８】図１及び図２の巻きタバコ用ハードパックの外側包装部を製造するために用いられるブランクの平面図である。
【図９】本発明に従って製造された巻きタバコ用パックの別の実施の形態の、閉鎖形態での前方斜視図である。
【図１０】図９の巻きタバコ用ハードパックの、開放形態での前方斜視図である。
【図１１】図９及び図１０の巻きタバコ用ハードパックを構成する要素の、斜視図である。
【図１２】図９及び図１０の巻きタバコ用ハードパックの蓋部を製造するために用いられるブランクの平面図である。
【図１３】図９及び図１０の巻きタバコ用ハードパックを構成する要素の、斜視図である。
【図１４】図９及び図１０の巻きタバコ用ハードパックを構成する要素の、斜視図である。
【図１５】図９及び図１０の巻きタバコ用ハードパックの内側包装部を製造するために用いられるブランクの平面図である。
【図１５ｂ】図９及び図１０の巻きタバコ用ハードパックの内側包装部を製造するために用いられるブランクの別の実施の形態の平面図である。
【図１６】図９及び図１９の巻きタバコ用ハードパックの外側包装部を製造するために用いられるブランクの平面図である。
【発明の好適な実施の形態】
【００１３】
図１乃至図３、図５及び図６を参照すると、本発明の第１の実施の形態が図示されている。本発明の第１の実施の形態では、ばら製品用のパック１、特には巻きタバコ用のパック、が提供されている。
【００１４】
パック１は、図示されていない一群の巻きタバコを収容しており、例えばアルミ箔からなる図示されていない一片の包装材料で包装されている。
【００１５】
パック１は、実質的には、長手方向軸線Ａを有する直方体形状を有しており、例えばボール紙製の外側包装部２と、例えばボール紙製で長手方向軸線Ａに平行に配置された一群の巻きタバコと直接接触するよう配置され外側包装部２内に位置決めされた内側包装部３と、を備えている。
【００１６】
外側包装部２は、図６に詳細に示されているが、上方壁すなわち頭部５、上方壁５に平行な底部壁すなわち底６、及び、長手方向軸線Ａに平行な４つの側方壁、によって規定される箱型本体部４を有している。４つの側方壁は、大型前方壁７と、大型前方壁７に平行な大型後方壁８と、２つの小型側方壁９と、からなる。
【００１７】
外側包装部２の大型前方壁７と大型後方壁８とに、それぞれ、丸められた角部を有する実質的に長方形のスロット１０が設けられている。
【００１８】
スロット１０は、互いに向き合っていて、前記軸線Ａを横切る箱型本体部４の小型側方壁９に垂直な軸線Ｂに沿って、延在している。スロット１０の機能は、後述される。
【００１９】
また、スロット１０は、底部壁６よりも上方壁５の近くに位置決めされている。
【００２０】
外側包装部２は、更に、上方壁５においてそれに隣接するように配置された、実質的に正方形の開口１１を有している。
【００２１】
内側包装部３は、図５に詳細に示されているが、上方壁すなわち頭部１３、上方壁１３に平行な底部壁すなわち底１４、及び、長手方向軸線Ａに平行な４つの側方壁、によって規定される箱型本体部１２を有している。４つの側方壁は、大型前方壁１５と、大型前方壁１５に平行な大型後方壁１６と、２つの小型側方壁１７と、からなる。
【００２２】
内側包装部３は、更に、上方壁１３においてそれに隣接するように配置された、実質的に正方形の巻きタバコ抽出用の抽出用開口１８を有している。
【００２３】
更に正確には、抽出用開口１８は、実質的に同じ幅を有しており、外側包装部２の開口１１に配置されている。
【００２４】
換言すれば、内側包装部３の抽出用開口１８は、外側包装部２の開口１１と向き合っている。
【００２５】
外側包装部２と内側包装部３との間に、摺動要素１９が介在しており、それは図３に詳細に示されている。
【００２６】
摺動要素１９は、内側包装部３周りに包装された例えばポリプロピレン製のバンド２０からなる。摺動要素１９の機能は、後述される。
【００２７】
この態様では、摺動要素１９と内側包装部３とを構成する材料間で、低い摩擦係数が生成されている。
【００２８】
特には、バンド２０はループ状に閉じられており、パック１がそれに沿って延在する長手方向軸線Ａ周りに移動可能である。
【００２９】
パック１は、更に、内側包装部３の抽出用開口１８を閉鎖するために、図３に詳細に示されている蓋部２１を備えている。
【００３０】
蓋部２１は、外側包装部２の上方壁５と内側包装部３の上方壁１３との間に介在している大型上方壁２２と、当該大型上方壁２２の両側に接続された２つの小型側方壁２３と、を有している。小型側方壁２３の一方は、外側包装部２の大型前方壁７と内側包装部３の大型前方壁１５との間に介在しており、小型側方壁２３の他方は、外側包装部２の大型後方壁８と内側包装部３の大型後方壁１６との間に介在している。
【００３１】
特に、外側包装部２の大型前方壁７と内側包装部３の大型前方壁１５との間に介在している小型側方壁２３は、摺動要素１９に接続されており、外側包装部２の大型後方壁８と内側包装部３の大型後方壁１６との間に介在している小型側方壁２３は、摺動要素１９から係合解除されている。
【００３２】
図１に図示されたパック１の閉鎖形態では、蓋部２１は被覆位置Ｃに位置決めされている。当該位置において、蓋部２１は、巻きタバコがこぼれ出ることを防ぐべく抽出用開口１８を覆っている。
【００３３】
反対に、図２に図示されたパック１の開放形態では、蓋部２１は非被覆位置Ｄに位置決めされている。当該位置において、蓋部２１は、巻きタバコが抽出される（取り出される）ことを可能にするべく抽出用開口１８を開放している（被覆を解除する）。
【００３４】
使用中において、パック１を開放するために、使用者は２本の指を用いて、１本の指は大型前方壁７のスロット１０を介して他の１本の指は大型後方壁８のスロット１０を介して、環状（ループ状）のバンド２０を保持し、後者に対して軸線Ｂに沿って、大型前方壁７のスロット１０を介してバンド２０を保持している指においては矢印Ｆ１の方向に、大型後方壁８のスロット１０を介してバンド２０を保持している指においては矢印Ｆ１’の方向に、スラスト動作を作用させる。
【００３５】
このような相対的な摺動動作（スライド動作）の結果として、蓋部２１は、被覆位置Ｃから非被覆位置Ｄに移動する。
【００３６】
抽出が一度なされた後、使用者は、矢印Ｆ２、Ｆ２’に従ったスラスト動作をバンド２０に作用させる。これにより、蓋部２１は、非被覆位置Ｄから被覆位置Ｃに移動する。
【００３７】
換言すれば、使用中、ループ状に閉じられていて長手方向軸線Ａ周りに移動可能であるバンド２０が、外側包装部２のスロット１０によって規定された作動領域によって、蓋部２１を被覆位置Ｃと非被覆位置Ｄとの間で長手方向軸線Ａを横切る軸線Ｂに沿って移動するように、使用者によって作動可能である。被覆位置Ｃでは、蓋部２１が抽出用開口１８を被覆して、巻きタバコの脱出（こぼれ）を防止し、非被覆位置Ｄでは、蓋部２１が抽出用開口１８を被覆しないで、巻きタバコが抽出されることを可能にする。
【００３８】
使用中、蓋部２１は、壁１３及び抽出用開口１８に隣接する、内側包装部３の大型前方壁１５及び大型後方壁１６の上方縁２４によって案内され支持される。当該上方縁２４が、蓋部２１を案内して支持するのに適した案内支持手段を規定している。
【００３９】
また、被覆位置Ｃにおいて、蓋部２１は、抽出用開口１８に隣接する、内側包装部２の小型壁１７の上方縁２５上に着座している。当該上方縁２５が、被覆位置Ｃにおいて蓋部２１を支持するのに好適な着座手段を規定している。
【００４０】
図４に図示された内容に従って、蓋部２１は、対応する平坦なブランク２６から得られる。それは、実質的に長細い長方形であり、その各部位が強調された参照番号と共に可能な範囲で説明される。それらの参照番号は、蓋部２１の対応部位を区別する参照番号と同じである。
【００４１】
ブランク２６は、１対の横方向の脆弱線２７を有しており、それらの間にパネル部２２’を規定している。パネル部２２’が、蓋部２１の大型上方壁２２を構成する。
【００４２】
パネル部２２’は、当該パネル部２２’の両側に配置され、蓋部２１の小型側方壁２３を構成する、１対のフラップ２３’、２３”を有している。
【００４３】
図７に図示された内容に従って、内側包装部３は、対応する平坦なブランク２８から得られる。それは、実質的に長細い長方形であり、その各部位が強調された参照番号と共に可能な範囲で説明される。それらの参照番号は、内側包装部３の対応部位を区別する参照番号と同じである。
【００４４】
ブランク２８は、長手方向の脆弱線２９と横方向の脆弱線３０とを有している。
【００４５】
横方向の脆弱線３０は、長手方向の脆弱線２９の間で、底部壁１４の外側部を構成するパネル部１４’と、大型前方壁１５を構成するパネル部１５’と、上方壁１３を構成するパネル部１３’と、大型後方壁１６を構成するパネル部１６’と、底部壁１４の内側部を構成するパネル部１４”と、を規定している。
【００４６】
特に、パネル部１３’は、横方向の脆弱線３０によって、パネル部１５’、１６’に接続されている。
【００４７】
パネル部１５’は、当該パネル部１５’の両側に配置され、長手方向の脆弱線２９によって当該パネル部１５’から分離され、小型壁１７の外側部を構成する、１対のフラップ１７’を有している。
【００４８】
パネル部１６’は、当該パネル部１６’の両側に配置され、長手方向の脆弱線２９によって当該パネル部１６’から分離され、小型壁１７の内側部を構成する、１対のフラップ１７”を有している。
【００４９】
図８に図示された内容に従って、外側包装部２は、対応する平坦なブランク３１から得られる。それは、実質的に長細い長方形であり、その各部位が強調された参照番号と共に可能な範囲で説明される。それらの参照番号は、外側包装部２の対応部位を区別する参照番号と同じである。
【００５０】
ブランク３１は、長手方向の脆弱線３２と横方向の脆弱線３３とを有している。
【００５１】
横方向の脆弱線３３は、長手方向の脆弱線３２の間で、底部壁６の外側部を構成するパネル部６’と、大型前方壁７を構成するパネル部７’と、上方壁５を構成するパネル部５’と、大型後方壁８を構成するパネル部８’と、底部壁６の内側部を構成するパネル部６”と、を規定している。
【００５２】
パネル部７’は、当該パネル部７’の両側に配置され、長手方向の脆弱線３２によって当該パネル部７’から分離され、小型壁９の外側部を構成する、１対のフラップ９’を有している。
【００５３】
パネル部８’は、当該パネル部８’の両側に配置され、長手方向の脆弱線３２によって当該パネル部８’から分離され、小型壁９の内側部を構成する、１対のフラップ９”を有している。
【００５４】
フラップ９”には、更なるフラップ６”が接続されており、フラップ６”は、底部壁６の内側部を構成する。
【００５５】
パネル部７’、８’の内側に、スロット１０が設けられる。
【００５６】
図９乃至図１１、図１４及び図１５を参照すると、本発明の第２の実施の形態が図示されている。本発明の第２の実施の形態では、ばら製品用のパッケージ１０１、特には巻きタバコ用のパック、が提供されている。
【００５７】
パック１０１は、図示されていない一群の巻きタバコを収容しており、例えばアルミ箔からなる図示されていない一片の包装材料で包装されている。
【００５８】
パック１０１は、実質的には、長手方向軸線Ａを有する直方体形状を有しており、例えばボール紙製の外側包装部１０２と、例えばボール紙製で長手方向軸線Ａに平行に配置された一群の巻きタバコと直接接触するよう配置され外側包装部１０２内に位置決めされた内側包装部１０３と、を備えている。
【００５９】
外側包装部１０２は、図１４に詳細に示されているが、上方壁すなわち頭部１０５、上方壁１０５に平行な底部壁すなわち底１０６、及び、長手方向軸線Ａに平行な４つの側方壁、によって規定される箱型本体部１０４を有している。４つの側方壁は、大型前方壁１０７と、大型前方壁１０７に平行な大型後方壁１０８と、２つの小型側方壁１０９と、からなる。
【００６０】
外側包装部１０２の大型前方壁１０７と大型後方壁１０８とに、それぞれ、丸められた角部を有する実質的に長方形のスロット１１０が設けられている。
【００６１】
スロット１１０は、互いに向き合っていて、前記軸線Ａを横切る箱型本体部１０４の小型側方壁１０９に垂直な軸線Ｂに沿って、延在している。
【００６２】
また、スロット１１０は、底部壁１０６よりも上方壁１０５の近くに位置決めされている。
【００６３】
外側包装部１０２は、更に、上方壁１０５においてそれに隣接するように配置された実質的に正方形の平坦形状の頂部１４０を含む開口１１１を有している。
【００６４】
当該開口１１１は、更に、実質的に台形の２つの側方部１４１を有している。それらの大きい方の底辺が、頂部１４０の両側に隣接するように配置されている。
【００６５】
更に正確には、２つの側方部１４１は、外側包装部１０２の大型前方壁１０７と大型後方壁１０８との各長手方向端部（端縁部）に配置されている。
【００６６】
内側包装部１０３は、図１３に詳細に示されているが、上方壁すなわち頭部１１３、上方壁１１３に平行な底部壁すなわち底１１４、及び、長手方向軸線Ａに平行な４つの側方壁、によって規定される箱型本体部１１２を有している。４つの側方壁は、大型前方壁１１５と、大型前方壁１１５に平行な大型後方壁１１６と、２つの小型側方壁１１７と、からなる。
【００６７】
内側包装部１０３は、更に、ばら製品を抽出するための抽出用開口１１８を有している。抽出用開口１１８の形状は、外側包装部１０２の開口１１１のそれと略同一である。
【００６８】
特に、抽出用開口１１８は、外側包装部１０２の開口１１１においてそれに隣接するように配置されており、上方壁１１３においてそれに隣接するように配置された実質的に正方形の頂部１４２を含んでいる。
【００６９】
抽出用開口１１８は、更に、実質的に台形の２つの側方部１４３を有している。それらの大きい方の底辺が、頂部１４２の両側に隣接するように配置されている。２つの側方部１４３は、内側包装部１０３の大型前方壁１１５と大型後方壁１１６との各長手方向端部（端縁部）に配置されている。
【００７０】
外側包装部１０２と内側包装部１０３との間に、摺動要素１１９が介在しており、それは図１１に詳細に示されている。
【００７１】
摺動要素１１９は、内側包装部１０３周りに包装された例えばポリプロピレン製のバンド１２０からなる。
【００７２】
この態様では、摺動要素１１９と内側包装部１０３とを構成する材料間で、低い摩擦係数が生成されている。
【００７３】
特には、バンド１２０はループ状に閉じられており、パック１０１がそれに沿って延在する長手方向軸線Ａ周りに移動可能である。
【００７４】
パック１０１は、更に、内側包装部１０３の抽出用開口１１８を閉鎖するために、図１１に詳細に示されている蓋部１２１を備えている。
【００７５】
蓋部１２１は、外側包装部１０２の上方壁１０５と内側包装部１０３の上方壁１１３との間に介在している大型上方壁１２２と、当該大型上方壁１２２の両側に接続された２つの小型側方壁１２３と、を有している。小型側方壁１２３の一方は、外側包装部１０２の大型前方壁１０７と内側包装部１０３の大型前方壁１１５との間に介在しており、小型側方壁１２３の他方は、外側包装部１０２の大型後方壁１０８と内側包装部１０３の大型後方壁１１６との間に介在している。
【００７６】
特に、外側包装部１０２の大型前方壁１０７と内側包装部１０３の大型前方壁１１５との間に介在している小型側方壁１２３は、摺動要素１１９に接続されており、外側包装部１０２の大型後方壁１０８と内側包装部１０３の大型後方壁１１６との間に介在している小型側方壁１２３は、摺動要素１１９から係合解除されている。
【００７７】
図９に図示されたパック１０１の閉鎖形態では、蓋部１２１は被覆位置Ｃに位置決めされている。当該位置において、蓋部１２１は、巻きタバコがこぼれ出ることを防ぐべく抽出用開口１１８を覆っている。
【００７８】
反対に、図１０に図示されたパック１０１の開放形態では、蓋部１２１は非被覆位置Ｄに位置決めされている。当該位置において、蓋部１２１は、巻きタバコが抽出される（取り出される）ことを可能にするべく抽出用開口１１８を開放している（被覆を解除する）。
【００７９】
使用中において、パック１０１を開放するために、使用者は２本の指を用いて、１本の指は大型前方壁１０７のスロット１１０を介して他の１本の指は大型後方壁１０８のスロット１１０を介して、環状（ループ状）のバンド１２０を保持し、後者に対して軸線Ｂに沿って、大型前方壁１０７のスロット１１０を介してバンド１２０を保持している指においては矢印Ｆ１の方向に、大型後方壁１０８のスロット１１０を介してバンド１２０を保持している指においては矢印Ｆ１’の方向に、スラスト動作を作用させる。
【００８０】
このような相対的な摺動動作（スライド動作）の結果として、蓋部１２１は、被覆位置Ｃから非被覆位置Ｄに移動する。
【００８１】
抽出が一度なされた後、使用者は、矢印Ｆ２、Ｆ２’に従ったスラスト動作をバンド１２０に作用させる。これにより、蓋部１２１は、非被覆位置Ｄから被覆位置Ｃに移動する。
【００８２】
換言すれば、使用中、ループ状に閉じられていて長手方向軸線Ａ周りに移動可能であるバンド１２０が、外側包装部１０２のスロット１１０によって規定された作動領域によって、蓋部１２１を被覆位置Ｃと非被覆位置Ｄとの間で長手方向軸線Ａを横切る軸線Ｂに沿って移動するように、使用者によって作動可能である。被覆位置Ｃでは、蓋部１２１が抽出用開口１１８を被覆して、巻きタバコの脱出（こぼれ）を防止し、非被覆位置Ｄでは、蓋部１２１が抽出用開口１１８を被覆しないで、巻きタバコが抽出されることを可能にする。
【００８３】
使用中、蓋部１２１は、内側包装部１０３の大型前方壁１１５及び大型後方壁１１６の上方縁１２４によって案内され支持される。当該上方縁１２４が、蓋部１２１を案内して支持するのに適した案内支持手段を規定している。
【００８４】
特に、パック１０１においては、上方縁１２４は、それぞれ、上方壁１１３に隣接する第１直線部分１４４と、抽出用開口１１８に隣接する第２直線部分１４５と、第１直線部分１４４及び第２直線部分１４５の間で抽出用開口１１８の側方部１４３の輪郭を規定するべく介在している成形部分１４６と、を有している。
【００８５】
第２直線部分１４５は、内側包装部１０２の小型壁１１７の抽出用開口１１８の上方部１４２に隣接する上方縁１２５に向かって、わずかに上昇しており、パック１０１の閉鎖工程中において、被覆位置Ｃに蓋部２１を位置決めすることを容易にしている。
【００８６】
また、被覆位置Ｃにおいて、蓋部１２１は、上方縁１２５上に着座している。当該上方縁２５が、被覆位置Ｃにおいて蓋部２１を支持するのに好適な着座手段を規定している。
【００８７】
図１乃至図３、図５及び図６に示されたパック１と、図９乃至図１１、図１４及び図１５に示されたパック１０１と、の間の相異は、開口１１、１１１と抽出用開口１８、１１８の形状にある。
【００８８】
この相異により、パック１０１では、被覆位置Ｃにおいて、蓋部１２１の小型側方壁１２３が、部分的に可視状態を維持する。一方、非被覆位置Ｄでは、巻きタバコの抽出が促される。
【００８９】
図１２に図示された内容に従って、蓋部１２１は、対応する平坦なブランク１２６から得られる。それは、実質的に長細い長方形であり、その各部位が強調された参照番号と共に可能な範囲で説明される。それらの参照番号は、蓋部１２１の対応部位を区別する参照番号と同じである。
【００９０】
ブランク１２６は、１対の横方向の脆弱線１２７を有しており、それらの間にパネル部１２２’を規定している。パネル部１２２’が、蓋部１２１の大型上方壁１２２を構成する。
【００９１】
パネル部１２２’は、当該パネル部１２２’の両側に配置され、蓋部１２１の小型側方壁１２３を構成する、１対のフラップ１２３’、１２３”を有している。
【００９２】
図１５に図示された内容に従って、内側包装部１０３は、対応する平坦なブランク１２８から得られる。それは、実質的に長細い長方形であり、その各部位が強調された参照番号と共に可能な範囲で説明される。それらの参照番号は、内側包装部１０３の対応部位を区別する参照番号と同じである。
【００９３】
ブランク１２８は、長手方向の脆弱線１２９と横方向の脆弱線１３０とを有している。
【００９４】
横方向の脆弱線１３０は、長手方向の脆弱線１２９の間で、底部壁１１４の外側部を構成するパネル部１１４’と、大型前方壁１１５を構成するパネル部１１５’と、上方壁１１３を構成するパネル部１１３’と、大型後方壁１１６を構成するパネル部１１６’と、底部壁１１４の内側部を構成するパネル部１１４”と、を規定している。
【００９５】
特に、パネル部１１３’は、横方向の脆弱線１３０によって、パネル部１１５’、１１６’に接続されている。
【００９６】
パネル部１１５’は、当該パネル部１１５’の両側に配置され、長手方向の脆弱線１２９によって当該パネル部１１５’から分離され、小型壁１１７の外側部を構成する、１対のフラップ１１７’を有している。
【００９７】
パネル部１１６’は、当該パネル部１１６’の両側に配置され、長手方向の脆弱線１２９によって当該パネル部１１６’から分離され、小型壁１１７の内側部を構成する、１対のフラップ１１７”を有している。
【００９８】
図１６に図示された内容に従って、外側包装部１０２は、対応する平坦なブランク１３１から得られる。それは、実質的に長細い長方形であり、その各部位が強調された参照番号と共に可能な範囲で説明される。それらの参照番号は、外側包装部１０２の対応部位を区別する参照番号と同じである。
【００９９】
ブランク１３１は、長手方向の脆弱線１３２と横方向の脆弱線１３３とを有している。
【０１００】
横方向の脆弱線１３３は、長手方向の脆弱線１３２の間で、底部壁１０６の外側部を構成するパネル部１０６’と、大型前方壁１０７を構成するパネル部１０７’と、上方壁１０５を構成するパネル部１０５’と、大型後方壁１０８を構成するパネル部１０８’と、底部壁１０６の内側部を構成するパネル部１０６”と、を規定している。
【０１０１】
パネル部１０７’は、当該パネル部１０７’の両側に配置され、長手方向の脆弱線１３２によって当該パネル部１０７’から分離され、小型壁１０９の外側部を構成する、１対のフラップ１０９’を有している。
【０１０２】
パネル部１０８’は、当該パネル部１０８’の両側に配置され、長手方向の脆弱線１３２によって当該パネル部１０８’から分離され、小型壁１０９の内側部を構成する、１対のフラップ１０９”を有している。
【０１０３】
フラップ１０９”には、更なるフラップ１０６”が接続されており、フラップ１０６”は、底部壁１０６の内側部を構成する。
【０１０４】
パネル部１０７’、１０８’の内側に、スロット１１０が設けられる。
【０１０５】
以上に記載されたパック１、１０１を作成するために、ブランク２８、１２８が、公知の態様で折り畳まれて、内側包装部３、１０３が形成され、蓋部２１、１２１及び摺動要素１９、１１９が当該形成された内側包装部３、１０３に関連付けられる。一方、ブランク３１、１３１が折り畳まれて、外側包装部２、１０２が形成される。
【０１０６】
より詳細には、蓋部２１、１２１及び摺動要素１９、１１９を形成された内側包装部３、１０３に関連付ける工程は、蓋部２１、１２１を、形成された内側包装部３、１０３の抽出用開口１８、１１８を有する長手方向端において当該内側包装部３、１０３上に位置決めする工程と、内側包装部３、１０３周りに摺動要素１９、１１９を閉ループ状に包装する工程と、例えばヒートシーリングによって摺動要素１９、１１９を蓋部２１、１２１に固定する工程と、を順に有する。
【０１０７】
あるいは、蓋部２１、１２１及び摺動要素１９、１１９を形成された内側包装部３、１０３に関連付ける工程は、形成された内側包装部３、１０３周りに摺動要素１９、１１９を閉ループ状に包装する工程と、蓋部２１、１２１を、摺動要素１９、１１９上に、及び、形成された内側包装部３、１０３の抽出用開口１８、１１８を有する長手方向端において当該内側包装部３、１０３上に位置決めする工程と、例えば接着によって摺動要素１９、１１９を蓋部２１、１２１に固定する工程と、を順に有する。
【０１０８】
外側包装部２、１０２を形成するべくブランク３１、１３１を折り畳む工程は、外側包装部２、１０２のブランク３１、１３１を形成された内側包装部３、１０３の周りで完全に折り畳む工程を有する。
【０１０９】
あるいは、外側包装部２、１０２を形成するべくブランク３１、１３１を折り畳む工程は、先行して部分的に折り畳まれた、すなわち、底部壁６、１０６を構成するパネル６’、６”、６”’、１０６’、１０６”、１０６”’を折り畳むことなく折り畳まれた外側包装部２、１０２のブランク３１、１３１内に、形成された内側包装部３、１０３を例えば箱詰め機械によって挿入する工程を有する。
【０１１０】
更に、外側包装部２、１０２を形成するためにブランク３１、１３１を折り畳む前記工程は、内側包装部３、１０３の底部壁１４、１１４を外側包装部２、１０２の底部壁６、１０６に接着して内側包装部３、１０３を外側包装部２、１０２に固定する工程を有している。
【０１１１】
また、形成された内側包装部３、１０３周りに摺動要素１９、１１９を閉ループ状に包装する前記工程は、摺動要素１９、１１９の端部を接続して閉ループを形成する工程を有する。
【０１１２】
使用中におけるパック１、１０１が、公知のパックよりも効率的に、蓋部２１、１２１を正確な閉鎖位置に如何にして維持するか、が留意されるべきである。これにより、内部に含まれるばら製品の一体性が保護される。
【０１１３】
図示されていない本発明の異なる実施の形態によれば、パック１、１０１は、例えば飴やチューイングガム等のような、ばらの食品を内包する。当該実施の形態では、内側包装部３、１０３の内側に、包装材料の片が何も存在しない。
【０１１４】
本発明の異なる実施の形態によれば、内側包装部３、１０３は、それぞれ、図７ｂ及び図１５ｂに図示されたブランクから得られる。
【０１１５】
当該実施の形態では、内側包装部３、１０３は、底部壁１４、１１４の代わりに、下側開口を有している。
【０１１６】
当該実施の形態は、更に、内側包装部３、１０３の当該下側開口に対向するように外側包装部２、１０２の底部壁６、１０６を提供しており、それは、当該下側開口による内側包装部３、１０３へのアクセスを可能にするべく開放可能／閉鎖可能である。このアクセスは、例えば、内側包装部３、１０３内へのばら製品の補充を可能にする。
【０１１７】
当該実施の形態では、内側包装部３、１０３が底部壁１４、１１４を有さないので、外側包装部２、１０２の上部壁５、１０５が、使用中、内側包装部１０３を外側包装部１０２内に保持するのに好適なブロック手段を規定する。
【０１１８】
図示されていない更に異なる実施の形態によれば、外側包装部２、１０２は、ボール紙やプラスチック材料の重量よりも軽量な紙から作られる。
【０１１９】
図示されていない異なる実施の形態によれば、スロット１０、１１０は、上部壁５、１０５よりも底部壁６、１０６の近くに配置される。
【０１２０】
図示されていない更に他の実施の形態によれば、蓋部２１、１２１と摺動要素１９、１１９とは単一体として作られる。
【図１】
2016507434.tif 000003
【図２】
2016507434.tif 000004
【図３】
2016507434.tif 000005
【図４】
2016507434.tif 000006
【図５】
2016507434.tif 000007
【図６】
2016507434.tif 000008
【図７】
2016507434.tif 000009
【図７ｂ】
2016507434.tif 000010
【図８】
2016507434.tif 000011
【図９】
2016507434.tif 000012
【図１０】
2016507434.tif 000013
【図１１】
2016507434.tif 000014
【図１２】
2016507434.tif 000015
【図１３】
2016507434.tif 000016
【図１４】
2016507434.tif 000017
【図１５】
2016507434.tif 000018
【図１５ｂ】
2016507434.tif 000019
【図１６】
2016507434.tif 000020
【国際調査報告】
2016507434.tif 000021
2016507434.tif 000022